(57)【要約】      （修正有）【課題】ユーザの所属先以外の画像形成装置を利用する場合であっても、機密情報の漏洩を防止するとともにユーザが不便を感じることなく円滑に画像形成処理を実行することができる画像形成システムおよび画像形成方法を提供する。【解決手段】端末装置としての携帯端末装置とサーバとをネットワークを介して接続し、携帯端末装置と複合機とをネットワークを介して接続する画像形成システムにおいて、携帯端末装置においては、当該携帯端末装置を使用するユーザのユーザ情報をサーバに送信してユーザが登録済みユーザであるか否かの認証を求め、携帯端末装置と複合機との接続を許可するか否かを決定し、複合機で表示する画面情報の送信をサーバに要求し、サーバにおいては、携帯端末装置のユーザが登録済みユーザであるか否かを認証し、複合機で表示する画面情報を所定の文書形式で生成する。【選択図】図７
2014235617.tif 000002
【特許請求の範囲】
【請求項１】
端末装置とサーバとを第１のネットワークを介して接続し、前記端末装置と画像を形成する画像形成装置とを第２のネットワークを介して接続する画像形成システムにおいて、
前記端末装置は、
前記第１のネットワークを介して、当該端末装置を使用する使用者の使用者情報を前記サーバに送信して当該端末装置を使用する使用者が登録済み使用者であるか否かの認証を求める使用者認証要求手段と、
当該端末装置と前記画像形成装置との接続を許可するか否かを決定する接続許可決定手段と、
前記接続許可決定手段によって接続が許可された前記画像形成装置の画面操作に応じて、該画像形成装置で表示する画面情報の送信を前記サーバに要求する画面情報要求手段と、
を備え、
前記サーバは、
前記端末装置から送信された使用者情報をもとに前記端末装置の使用者が登録済み使用者であるか否かを認証する使用者認証手段と、
前記使用者認証手段によって前記登録済み使用者であると認証された使用者が使用する前記端末装置から、前記画像形成装置で表示する画面情報の生成を要求された場合、前記画像形成装置で表示する画面情報を少なくとも前記端末装置と前記画像形成装置とが表示可能である文書形式で生成する画面情報生成手段と、
前記画面情報生成手段が生成した画面情報を前記端末装置に送信する画面情報送信手段と、
を備えたことを特徴とする画像形成システム。
【請求項２】
前記サーバにおいて、
前記画面情報生成手段は、前記端末装置から前記画面情報の送信を要求された場合、前記画像形成装置で表示する画面情報を汎用的な文書形式で生成することを特徴とする請求項１に記載の画像形成システム。
【請求項３】
前記画面情報生成手段は、前記端末装置から前記画面情報の送信を要求された場合、前記接続許可決定手段によって接続が許可された前記画像形成装置の表示部が表示する画面サイズに応じた大きさで画面情報を生成することを特徴とする請求項１または２に記載の画像形成システム。
【請求項４】
前記画面情報は、機密情報を含み、
前記サーバは、
前記画面情報を構成する各情報の機密度の大小を判定する機密情報判定手段をさらに備え、
前記画面情報生成手段は、前記画面情報のうち前記機密情報判定手段によって機密度が所定の閾値よりも大きいと判定された情報に対し、オリジナルの情報に加えて偽装された情報を作成し、
前記端末装置は、
前記オリジナルの情報と前記偽装された情報とを含む前記画面情報が前記サーバから送信された場合、前記偽装された情報のみを含む画面情報に変換する画面情報変換手段をさらに備え、前記画面情報変換手段が変換した画面情報を前記画像形成装置に送信することを特徴とする請求項１〜３のいずれか一つに記載の画像形成システム。
【請求項５】
前記端末装置は、前記接続許可決定手段によって接続が許可された前記画像形成装置の画面操作に応じて、前記画像形成装置で画像形成を行なう文書の文書情報の送信を前記サーバに要求する文書情報要求手段をさらに備え、
前記サーバは、前記文書情報要求手段の要求に応じて文書情報を送信することを特徴とする請求項１〜４のいずれか一つに記載の画像形成システム。
【請求項６】
前記画面情報変換手段は、前記画像形成装置から要求された文書情報の要求先が偽装された情報であった場合には、偽装された文書情報の要求先の情報をオリジナルの文書情報の要求先の情報に変換し、
文書情報要求手段は、前記画面情報変換手段によって変換されたオリジナルの文書情報の要求先を指定して文書情報の送信を求めることを特徴とする請求項５に記載の画像形成システム。
【請求項７】
端末装置とサーバとを第１のネットワークを介して接続し、前記端末装置と画像形成装置とを第２のネットワークを介して接続する前記画像形成システムに画像形成処理を行わせる画像形成方法において、
前記端末装置において、前記第１のネットワークを介して、前記端末装置を使用する使用者の使用者情報を前記サーバに送信して前記端末装置を使用する使用者が登録済み使用者であるか否かの認証を求める使用者認証要求ステップと、
前記サーバにおいて、前記使用者認証要求ステップにおいて送信された使用者情報をもとに前記端末装置の使用者が登録済み使用者であるか否かを認証する使用者認証ステップと、
前記端末装置において、前記端末装置と前記画像形成装置との接続を許可するか否かを決定する接続許可決定ステップと、
前記端末装置において、前記接続許可許可ステップにおいて接続が許可された前記画像形成装置の画面操作に応じて、前記画像形成装置で表示する画面情報の送信を前記サーバに要求する画面情報要求ステップと、
前記画面情報要求ステップにおいて前記画像形成装置で表示する画面情報の生成を要求された場合、前記サーバにおいて、前記画像形成装置で表示する画面情報を所定の文書形式で生成する画面情報生成ステップと、
前記画面情報生成ステップにおいて生成された画面情報を前記サーバから前記端末装置に送信する画面情報送信ステップと、
を含むことを特徴とする画像形成方法。
【発明の詳細な説明】
【技術分野】
【０００１】
本発明は、端末装置とサーバとを第１のネットワークを介して接続し、前記端末装置と画像形成装置とを第２のネットワークを介して接続する画像形成システムおよび画像形成方法に関する。
【背景技術】
【０００２】
ネットワークインフラが急速に普及したため、ネットワーク上の社内サーバが一元管理する社内文書を、外出先等で利用する機会が多くなっている。そこで、近年、携帯電話等の携帯端末装置を用いるとともに、ネットワークに接続された外部の複合機を利用して、社外などにおいても社内サーバにある文書ドキュメントを入手できるようにする文書取得システムが提案されている（たとえば、特許文献１参照）。
【０００３】
特許文献１記載の技術では、外出先の社外の複合機において、タッチパネルに表示された画面から文書が選択されると、選択された文書が携帯端末装置に保存された小容量の文書の場合には携帯端末装置から直接取得して印刷処理を行い、携帯端末装置に保存できない大容量の文書の場合にはネットワーク上の社内サーバから直接取得して印刷処理を行うことによって、ネットワーク上の社内サーバにある文書の印刷を実現している。
【発明の概要】
【発明が解決しようとする課題】
【０００４】
しかしながら、従来のシステムでは、ユーザの所属先以外の画像形成を行う複合機をユーザの所属先のサーバにアクセスさせるために複合機の画面上に携帯端末装置内のユーザ認証用パスワードを表示させる場合や、印刷のために所属先以外の複合機が所属先のサーバおよび携帯端末装置の文書情報や宛先などを直接参照する場合が発生するため、アクセス情報や文書情報などの機密情報が漏洩するおそれがあった。
【０００５】
また、所属先以外の複合機に携帯端末装置から印刷を直接要求する場合、携帯端末装置の画面サイズの制約によって予約ジョブの検索や設定変更操作のために煩雑な処理を行わなければいけない場合や、所属先以外の複合機と所属先の複合機とでは操作が異なる場合があり、ユーザが不便を感じる場合が多かった。
【０００６】
本発明は、上記に鑑みてなされたものであって、ユーザの所属先以外の画像形成装置を利用する場合であっても、機密情報の漏洩を防止するとともにユーザが不便を感じることなく円滑に画像形成処理を実行することができる画像形成システムおよび画像形成方法を提供することを目的とする。
【課題を解決するための手段】
【０００７】
上述した課題を解決し、目的を達成するために、本発明は、端末装置とサーバとを第１のネットワークを介して接続し、前記端末装置と画像を形成する画像形成装置とを第２のネットワークを介して接続する画像形成システムにおいて、前記端末装置は、前記第１のネットワークを介して、当該端末装置を使用する使用者の使用者情報を前記サーバに送信して当該端末装置を使用する使用者が登録済み使用者であるか否かの認証を求める使用者認証要求手段と、当該端末装置と前記画像形成装置との接続を許可するか否かを決定する接続許可決定手段と、前記接続許可決定手段によって接続が許可された前記画像形成装置の画面操作に応じて、該画像形成装置で表示する画面情報の送信を前記サーバに要求する画面情報要求手段と、を備え、前記サーバは、前記端末装置から送信された使用者情報をもとに前記端末装置の使用者が登録済み使用者であるか否かを認証する使用者認証手段と、前記使用者認証手段によって前記登録済み使用者であると認証された使用者が使用する前記端末装置から、前記画像形成装置で表示する画面情報の生成を要求された場合、前記画像形成装置で表示する画面情報を少なくとも前記端末装置と前記画像形成装置とが表示可能である文書形式で生成する画面情報生成手段と、前記画面情報生成手段が生成した画面情報を前記端末装置に送信する画面情報送信手段と、を備えたことを特徴とする。
【発明の効果】
【０００８】
本発明によれば、ユーザの所属先以外の画像形成装置での使用者の認証を必要としないことから、セキュリティ情報や機密情報が送信されることがないため、情報漏洩を防止できるとともに、ユーザの所属先以外の画像形成装置でもユーザの所属先の画像形成装置と同じユーザインターフェースで操作ができるように、サーバにおいて画像形成装置の画面情報を少なくとも端末装置と画像形成装置とが表示可能である文書形式で生成するため、機器の違いによる画面操作の違いが解消され、ユーザの利便性が向上するという効果を奏する。
【図面の簡単な説明】
【０００９】
【図１】図１は、実施の形態にかかる画像形成システムの一例の構成を示すブロック図である。
【図２】図２は、実施の形態に適用可能なサーバの一例の構成を示す図である。
【図３】図３は、図１に示すサーバの一例の機能を示す機能ブロック図である。
【図４】図４は、図１に示す携帯端末装置の一例の機能を示す機能ブロック図である。
【図５】図５は、実施の形態に適用可能な画像形成装置としての複合機の一例の構成を示す図である。
【図６】図６は、図１に示す複合機の一例の機能を示す機能ブロック図である。
【図７】図７は、図１に示す画像形成システムにおける画像形成処理の処理手順を示すフローチャートである。
【図８】図８は、図７に示すアクセス認証処理の手順の流れの一例を示すシーケンス図である。
【図９】図９は、図７に示すステップＳ６〜ステップＳ８の処理手順の流れの一例を示すシーケンス図である。
【発明を実施するための形態】
【００１０】
以下に添付図面を参照して、画像形成システムの実施の形態を詳細に説明する。
【００１１】
（実施の形態）
図１は、実施の形態にかかる画像形成システムの一例の構成を示すブロック図である。図１に示すように、実施の形態にかかる画像形成システム１では、ユーザの所属先のサーバ１０と、ユーザが所属先以外の場所で使用する登録済みの携帯端末装置３０とがネットワーク２０によって通信可能に接続され、ユーザ認証のための各情報、ジョブ情報表示用の画面情報および印刷対象の文書情報などの各種情報が、サーバ１０および携帯端末装置３０との間で送受信される。そして、画像形成システム１では、携帯端末装置３０と、ユーザの所属先以外の場所に設置された画像形成装置である複合機５０とが、ネットワーク２０とは別のネットワーク４０によって通信可能に接続され、複合機５０が携帯端末装置３０にアクセスするための認証情報、サーバ１０が生成した画面情報およびジョブ実行対象となる文書情報が、携帯端末装置３０と、複合機５０との間で送受信される。画像形成システム１では、登録済みの携帯端末装置３０とサーバ１０とをネットワーク接続し、携帯端末装置３０がアクセスを許可した複合機５０では、携帯端末装置３０を介して取得した画面情報を表示することによって、ネットワーク６０で接続する、ユーザの所属先の複合機７０と同一のユーザインターフェースでのジョブ実行を可能にしている。
【００１２】
（サーバの構成例）
図２は、実施形態に適用可能なサーバ１０の一例の構成を示す。図２に例示されるサーバ１０において、バス１００を介してＣＰＵ（Central  Processing  Unit）１１０、ＲＯＭ（Read  Only  Memory）１１１、ＲＡＭ（Random  Access  Memory）１１２および表示制御部１１３が接続される。また、バス１００に対して、通信部１１５、入力部１１６およびＨＤＤ（ハードディスクドライブ）１１７が接続される。
【００１３】
ＣＰＵ１１０は、ＲＯＭ１１１およびＨＤＤ１１７に記憶されるプログラムに従い、ＲＡＭ１１２をワークメモリとして用いて、このサーバ１０の全体を制御する。表示制御部１１３は、ＣＰＵ１１０により生成された表示制御信号を、表示部１１４が表示可能な信号に変換して出力する。
【００１４】
ＨＤＤ１１７は、上述のＣＰＵ１１０が実行するためのプログラムや各種データが格納される。入力部１１６は、外部からのデータ入力を行うＵＳＢ（Universal  Serial  Bus）やＩＥＥＥ１３９４（Institute  of  Electrical  and  Electronics  Engineers  1394）といったデータＩ／Ｆや、キーボードなど利用者入力を受け付ける入力デバイスを含む。通信部１１５は、所定のプロトコルを用いてネットワーク２０を介した通信を行う。
【００１５】
図３は、図１に示すサーバ１０の一例の機能を示す機能ブロック図である。図３に示すように、サーバ１０は、各種情報を保持するデータベース１２０、リモート通信部１３１、アクセス機器判定部１３２、ユーザ認証部１３３、画面情報生成部１３４および機密情報判定部１３５を有し、データベース１２０が保持する携帯端末装置３０のユーザ一覧情報１２１、登録済みの機器一覧情報１２２、ユーザが保有する文書情報１２３、および、ユーザが予約登録したジョブ情報１２４を管理している。
【００１６】
リモート通信部１３１は、ネットワーク２０を介して、予め登録された携帯端末装置３０との間で、ユーザ認証および印刷処理に関する各種情報の送受信を行なう。リモート通信部１３１は、携帯端末装置３０を使用するユーザに対して行なうユーザ認証処理のために要する情報、複合機５０の画面に表示させるジョブ一覧などの画面情報、および、印刷処理の実行対象となる文書情報の送受信を行なう。
【００１７】
アクセス機器判定部１３２は、データベース１２０の登録済みの機器一覧情報１２２を参照し、携帯端末装置３０から送信された認証用データをもとに、携帯端末装置３０、および、携帯端末装置３０が接続する複合機５０などの機器が、アクセスを許可された、既にサーバ１０に登録済みの機器であるか否かを判定する。
【００１８】
ユーザ認証部１３３は、ユーザ一覧情報１２１を参照し、ネットワーク２０を介して携帯端末装置３０から送信されたユーザ情報をもとに、ユーザ情報を送信した携帯端末装置３０のユーザが登録済みユーザであるか否かを認証する。
【００１９】
画面情報生成部１３４は、ユーザ認証部１３３によって登録済みユーザであると認証されたユーザが使用する携帯端末装置３０から、携帯端末装置３０に接続された複合機５０の画面上で表示する画面情報の生成を要求された場合、この複合機５０の画面上で表示する画面情報を生成する。画面情報生成部１３４は、ユーザの所属先の複合機操作と同じユーザインターフェースでジョブ一覧画面の操作ができるように、少なくとも携帯端末装置３０と複合機５０とが表示可能である文書形式で生成する。画面情報生成部１３４は、汎用的な文書形式で画面情報を生成する。また、画面情報生成部１３４は、複合機５０の表示部が表示する画面サイズに応じた大きさで画面情報を生成する。リモート通信部１３１は、ネットワーク２０を介して、画面情報生成部１３４が生成した画面情報を携帯端末装置３０に送信する。
【００２０】
画面情報生成部１３４は、画面情報のうち、後述の機密情報判定部１３５によって機密度が所定の閾値よりも大きいと判定された情報に対して、この情報を偽装する偽装処理を行う。画面情報生成部１３４が偽装処理を行った画面要素がある場合には、リモート通信部１３１は、オリジナルの情報と偽装した情報との双方を携帯端末装置３０に送信する。
【００２１】
機密情報判定部１３５は、画面に含まれるＵＲＬ（Uniform  Resource  Locator）やリンク情報ごとに機密度がそれぞれ数値付けられた機密度判定用の情報を有し、画面情報生成部１３４が生成する画面情報を構成する各情報の機密度の大小を判定する。機密情報判定部１３５は、ユーザの所属先以外への漏洩を防止しなくてはならない機密度の数値を所定の閾値として設定し、この閾値をもとに画面情報を構成する各情報の機密度の大小を判定する。
【００２２】
（携帯端末装置の構成例）
図４は、図１に示す携帯端末装置３０の機能を示す機能ブロック図である。図４に示すように、携帯端末装置３０は、制御部３１１、第１リモート通信部３１２、第２リモート通信部３１３、表示部３１４、画面情報変換部３１５、アクセス機器制御部３１６、記憶部３１７および入力部３１８を有する。制御部３１１は、携帯端末装置３０の各構成部位の処理動作を制御する。
【００２３】
第１リモート通信部３１２は、ユーザ認証のために要する情報をサーバ１０との間で送受信するとともに、複合機５０の要求に応じてジョブ一覧などの画面情報および文書情報などの送受信をサーバ１０との間で行なう。携帯端末装置３０は、第１リモート通信部３１２を介して、この携帯端末装置３０を使用するユーザ情報をサーバ１０に送信し、この携帯端末装置３０を使用するユーザが登録済みユーザであるか否かの認証を求める信号をサーバ１０に送信する。第１リモート通信部３１２は、制御部３１１の制御のもと、後述するアクセス機器制御部３１６によって接続が許可された複合機５０の画面操作に応じて、該複合機５０で表示する画面情報の送信を要求する信号をサーバ１０に送信する。
【００２４】
第２リモート通信部３１３は、複合機５０との間で、アクセス認証のために要する情報、複合機５０の画面に表示させる画面情報、および、複合機５０における印刷処理の実行対象となる文書情報の送受信を行なう。なお、第１リモート通信部３１２は、第２リモート通信部３１３を兼ねてもよい。
【００２５】
表示部３１４は、各種情報を表示する画面を有し、画面には、サーバ１０との間で行なうユーザ認証操作メニューや、複合機５０に対するアクセス制御のためのワンタイムパスワードなどが表示される。
【００２６】
画面情報変換部３１５は、サーバ１０から送られた画面情報の中に、オリジナルの情報と偽装された情報とが対になっている画面要素が含まれる場合には、この画面要素についてはオリジナルの情報ではなく偽装された情報のみが表示されるように画面情報を変換し、第２リモート通信部３１３を介して、変換した画面情報を複合機５０に送信する。画面情報変換部３１５は、複合機５０から印刷実行のために文書情報の送信を要求された場合であって、文書情報の要求先が偽装された情報であった場合には、偽装された文書情報の要求先の情報をオリジナルの文書情報の要求先の情報に変換する。したがって、第１リモート通信部３１２は、複合機５０による文書情報の要求先が偽装情報であった場合であっても、サーバ１０に対し、画面情報変換部３１５によって変換された、偽装されていないオリジナルの文書情報の要求先を指定して、印刷実行のための文書情報の送信を求める信号を送信する。
【００２７】
アクセス機器制御部３１６は、複合機５０への初回接続時に、ワンタイムパスワードを生成し、表示部３１４の画面に表示させるほか、接続しようとする複合機５０がアクセス認証を許可すべき機器であるか否かを判断して、複合機５０に携帯端末装置３０との以降の接続を許可するか否かを決定する。
【００２８】
記憶部３１７は、サーバ１０から取得した画面情報や、送受信対象となる文書情報の一次記憶に利用される。入力部３１８は、各種ボタン、各種スイッチ等の入力デバイスを含み、各種ボタンおよび各種スイッチ等の操作を検知して携帯端末装置３０の動作を指示する指示信号の入力を受け付ける。なお、表示部３１４および入力部３１８は、情報の表示や利用者からの操作入力が可能であるタッチパネルディスプレイによって構成されてもよい。この場合、入力部３１８は、タッチセンサを備えて、画面上に表示したソフトキーに対応する位置での接触を検知することによって、携帯端末装置３０の動作を指示する指示信号の入力を受け付ける。
【００２９】
（画像形成装置の構成例）
図５は、実施形態に適用可能な画像形成装置としての複合機５０の一例の構成を示す。図５に示すように、この複合機５０は、コントローラ５１０とエンジン部（Engine）５６０とをＰＣＩ（Peripheral  Component  Interconnect）バスで接続した構成となる。コントローラ５１０は、複合機５０全体の制御と描画、通信、図示しない操作部からの入力を制御するコントローラである。エンジン部５６０は、ＰＣＩバスに接続可能なプリンタエンジンなどであり、たとえば白黒プロッタ、１ドラムカラープロッタ、４ドラムカラープロッタ、スキャナまたはファックスユニットなどである。なお、このエンジン部５６０には、プロッタなどのいわゆるエンジン部分に加えて、誤差拡散やガンマ変換などの画像処理部分が含まれる。
【００３０】
コントローラ５１０は、ＣＰＵ５１１と、ノースブリッジ（ＮＢ）５１３と、システムメモリ（ＭＥＭ−Ｐ）５１２と、サウスブリッジ（ＳＢ）５１４と、ローカルメモリ（ＭＥＭ−Ｃ）５１７と、ＡＳＩＣ（Application  Specific  Integrated  Circuit）５１６と、ハードディスクドライブ（ＨＤＤ）５１８とを有し、ノースブリッジ（ＮＢ）５１３とＡＳＩＣ５１６との間をＡＧＰ（Accelerated  Graphics  Port）バス５１５で接続した構成となる。また、ＭＥＭ−Ｐ５１２は、ＲＯＭ（Read  Only  Memory）５１２ａと、ＲＡＭ（Random  Access  Memory）５１２ｂとをさらに有する。
【００３１】
ＣＰＵ５１１は、複合機５０の全体制御を行うものであり、ＮＢ５１３、ＭＥＭ−Ｐ５１２およびＳＢ５１４からなるチップセットを介して他の機器と接続される。
【００３２】
ＮＢ５１３は、ＣＰＵ５１１とＭＥＭ−Ｐ５１２、ＳＢ５１４、ＡＧＰバス５１５とを接続するためのブリッジであり、ＭＥＭ−Ｐ５１２に対する読み書きなどを制御するメモリコントローラと、ＰＣＩマスタおよびＡＧＰターゲットとを有する。
【００３３】
ＭＥＭ−Ｐ５１２は、プログラムやデータの格納用メモリ、プログラムやデータの展開用メモリ、プリンタの描画用メモリなどとして用いるシステムメモリであり、ＲＯＭ５１２ａとＲＡＭ５１２ｂとを有する。ＲＯＭ５１２ａは、プログラムやデータの格納用メモリとして用いる読み出し専用のメモリであり、ＲＡＭ５１２ｂは、プログラムやデータの展開用メモリ、プリンタの描画用メモリなどとして用いる書き込みおよび読み出し可能なメモリである。
【００３４】
ＳＢ５１４は、ＮＢ５１３とＰＣＩデバイス、周辺デバイスとを接続するためのブリッジである。このＳＢ５１４は、ＰＣＩバスを介してＮＢ５１３と接続されており、このＰＣＩバスには、ネットワークインターフェース（Ｉ／Ｆ）部なども接続される。
【００３５】
ＡＳＩＣ５１６は、画像処理用のハードウェア要素を有する画像処理用途向けのＩＣ（Integrated  Circuit）であり、ＡＧＰバス５１５、ＰＣＩバス、ＨＤＤ５１８およびＭＥＭ−Ｃ１７をそれぞれ接続するブリッジの役割を有する。このＡＳＩＣ５１６は、ＰＣＩターゲットおよびＡＧＰマスタと、ＡＳＩＣ５１６の中核をなすアービタ（ＡＲＢ）と、ＭＥＭ−Ｃ５１７を制御するメモリコントローラと、ハードウェアロジックなどにより画像データの回転などを行う複数のＤＭＡＣ（Direct  Memory  Access  Controller）と、エンジン部５６０との間でＰＣＩバスを介したデータ転送を行うＰＣＩユニットとを有する。このＡＳＩＣ５１６には、ＰＣＩバスを介してＦＣＵ（Fax  Control  Unit）５３０、ＵＳＢ（Universal  Serial  Bus）５４０、ＩＥＥＥ１３９４インターフェース５５０が接続される。操作表示部５２０はＡＳＩＣ５１６に直接接続されている。
【００３６】
ＭＥＭ−Ｃ５１７は、コピー用画像バッファ、符号バッファとして用いるローカルメモリであり、ＨＤＤ（Hard  Disk  Drive）５１８は、画像データの蓄積、プログラムの蓄積、フォントデータの蓄積、フォームの蓄積を行うためのストレージである。
【００３７】
ＡＧＰバス５１５は、グラフィック処理を高速化するために提案されたグラフィックスアクセラレーターカード用のバスインターフェースであり、ＭＥＭ−Ｐ５１２に高スループットで直接アクセスすることにより、グラフィックスアクセラレーターカードを高速にするものである。
【００３８】
図６は、図１に示す複合機５０の機能を示す機能ブロック図である。図６に示すように、複合機５０は、操作表示部５２０の画面に対する表示を制御してユーザにメッセージを通知するとともに操作表示部５２０に対する入力操作を受け付けるための処理を行うＵＩ制御部５７１、ネットワーク４０を介して携帯端末装置３０と通信を行うリモート通信部５７２、接続する携帯端末装置３０に対してアクセス認証要求を出すアクセス認証制御部５７３、携帯端末装置３０から受信した文書情報等から画像データを形成して形成した画像データをエンジン部５６０から印刷する印刷処理部５７６、ユーザが複合機５０に対して入力の要求を行った際に入力の制御を設定にしたがい行う入力制御部５７７、および、ユーザが複合機５０に対して出力の要求を行った際に出力の制御を設定にしたがい行う出力制御部５７８を有する。
【００３９】
（実施形態にかかる処理の具体的な手順）
次に、図１に示す画像形成システム１における画像形成処理について説明する。図７は、図１に示す画像形成システム１における画像形成処理の処理手順を示すフローチャートである。
【００４０】
図７に示すように、まず、携帯端末装置３０におけるユーザの操作によって、携帯端末装置３０とサーバ１０とがネットワーク２０によって接続される（ステップＳ１）。続いて、サーバ１０は、登録済みの機器一覧情報１２２を参照し、携帯端末装置３０が登録済み機器であるか否かを認証するとともに、ユーザ一覧情報１２１を参照し携帯端末装置３０のユーザが登録済みユーザであるか否かを認証するユーザ認証処理を行う（ステップＳ２）。携帯端末装置３０は、ネットワーク２０を介して、ユーザの操作によって携帯端末装置３０に入力されたユーザＩＤとそれに対応するパスワードをサーバ１０に送信するとともに該携帯端末装置３０を使用するユーザが登録済みユーザであるか否かの認証を要求する信号をサーバ１０に送信する。サーバ１０は、受信したユーザＩＤおよびパスワードをもとに、携帯端末装置３０のユーザが、ユーザ一覧情報１２１に登録された登録済みユーザであるか否かを認証する。サーバ１０は、携帯端末装置３０が登録済み機器であって、さらに携帯端末装置３０のユーザが、ユーザ一覧情報１２１に登録された登録済みユーザであると認証した場合にのみ、以降の携帯端末装置３０との通信を継続する。
【００４１】
携帯端末装置３０におけるユーザの操作によって、携帯端末装置３０と、使用しようとする複合機５０とがネットワーク４０によって接続される（ステップＳ３）。続いて、携帯端末装置３０は、複合機５０が、携帯端末装置３０との接続を許可するか否かを認証するアクセス認証処理を行う（ステップＳ４）。続いて、携帯端末装置３０では、アクセス認証処理の結果がアクセス許可する結果であったか否かを判断する（ステップＳ５）。アクセス認証処理の結果がアクセスを許可する結果でなかった場合（ステップＳ５：Ｎｏ）、画像形成システムにおける画像形成処理は終了する。
【００４２】
一方、アクセス認証処理の結果がアクセスを許可する結果であった場合（ステップＳ５：Ｙｅｓ）、複合機５０の接続継続が許可されるため、複合機５０に対する次の処理に進むことができる。まず、ユーザの操作によって、複合機５０の画面上にて、携帯端末装置３０のユーザが予約した印刷処理のジョブ一覧画面が表示される（ステップＳ５）。この画面を見たユーザは、表示されたジョブ一覧画面を参照し、実行したいジョブを選択する。これによって、複合機５０においては、実行するジョブが選択され（ステップＳ７）、複合機５０上でジョブが実行される（ステップＳ８）ことによって、ユーザが予約した印刷ジョブを、複合機５０で実施する。なお、図７に示すステップＳ１〜Ｓ２と、ステップＳ３〜Ｓ４は、いずれが先に行なわれてもよい。
【００４３】
次に、図８を参照して、図７に示すアクセス認証処理を説明する。図８は、図７に示すアクセス認証処理の手順の流れの一例を示すシーケンス図である。図８に示すように、アクセス認証処理において、複合機５０は、ネットワーク４０を介して接続された携帯端末装置３０に対してアクセス画面の表示を要求する信号を送信する（ステップＳ１１）。
【００４４】
携帯端末装置３０は、アクセス画面の表示要求を受けると、アクセス機器制御部３１６において、既に他の複合機との間でアクセス認証を実施し他の複合機を認証済みであるか否かを判断する（ステップＳ１２）。携帯端末装置３０は、既に他の複合機を認証済みであると判断した場合（ステップＳ１２：Ｙｅｓ）、アクセスエラーである旨を表示部３１４に表示させてアクセスエラーを応答し（ステップＳ１３）、複合機５０の携帯端末装置３０へのアクセスを許可しない。
【００４５】
携帯端末装置３０は、既に他の複合機を認証済みでないと判断した場合（ステップＳ１２：Ｎｏ）、ＩＰアドレスなど接続機器情報を基に生成した一時的に有効なワンタイムパスワードを生成し、携帯端末装置３０の表示部３１４の画面に表示する（ステップＳ１４）。
【００４６】
また、携帯端末装置３０は、アクセス認証用のパスワード入力画面を生成し、複合機５０に送信する（ステップＳ１５）。複合機５０では、操作表示部５２０に、携帯端末装置３０から送信されたパスワード入力画面を表示する（ステップＳ１６）。そして、複合機５０では、ユーザからの操作を受け付けることによってパスワードが入力される（ステップＳ１７）。複合機５０は、入力されたパスワードをもとにアクセス認証を要求する信号を携帯端末装置３０に送信する（ステップＳ１８）。
【００４７】
続いて、携帯端末装置３０は、入力されたパスワードと、接続する複合機５０の情報とが一致するか否かを判断する（ステップＳ１９）。アクセス機器制御部３１６は、入力されたパスワードと、接続する複合機５０の情報とが一致しないと判断した場合（ステップＳ１９：Ｎｏ）、この複合機５０がアクセスを許可された登録済みの機器でないと判断して、アクセスエラーを応答し（ステップＳ１３）、この複合機５０と携帯端末装置３０との接続を許可しない。
【００４８】
一方、アクセス機器制御部３１６は、入力パスワードと、接続する複合機５０の情報とが一致すると判断した場合（ステップＳ１９：Ｙｅｓ）、この複合機５０がアクセスを許可された登録済みの機器であると判断し、アクセス許可を複合機５０に通知する信号を送信する（ステップＳ２０）。複合機５０は、携帯端末装置３０からのアクセス許可を受け、アクセス認証済みであることを画面に表示する（ステップＳ２１）。なお、ステップＳ１９においては、携帯端末装置３０自体が、複合機５０に対するアクセス許可を判断した場合を説明したが、サーバ１０が複合機５０に対するアクセス許可を判断してもよい。この場合、携帯端末装置３０は、複合機５０の識別情報などをサーバ１０に送信し、サーバ１０では、アクセス機器判定部１３２が機器一覧情報１２２を参照して、携帯端末装置３０が接続する複合機５０がアクセス許可された登録済みの複合機であるか否かを判定し、判定結果を携帯端末装置３０に送信する。携帯端末装置３０は、送信されたサーバ１０からの判定結果に応じて、複合機５０とのアクセスの継続またはアクセスエラー応答のいずれかを行なう。
【００４９】
次に、図９を参照して、図７に示すステップＳ６〜ステップＳ８の処理手順を説明する。図９は、図７に示すステップＳ６〜ステップＳ８に示す処理手順の流れの一例を示すシーケンス図である。
【００５０】
図９に示すように、複合機５０は、画面表示に必要なジョブ一覧取得を要求する信号を携帯端末装置３０に送信し（ステップＳ３１）、これを受けて携帯端末装置３０は、サーバ１０に対してジョブ一覧情報の取得を要求する信号を送信する（ステップＳ３２）。サーバ１０では、画面情報生成部１３４が、ジョブ一覧画面の画面情報を作成し（ステップＳ３３）、生成したジョブ一覧画面の画面情報を携帯端末装置３０に送信する（ステップＳ３４）。この場合、画面情報生成部１３４は、複合機５０においても、ユーザの所属先の複合機操作と同じユーザインターフェースでジョブ一覧画面の操作ができるように、複合機５０の画面サイズも考慮しながら、携帯端末装置３０と複合機５０とが表示可能である汎用的な文書形式でジョブ一覧画面を生成する。携帯端末装置３０は、サーバ１０から送信されたジョブ一覧画面の画面情報を、接続する複合機５０に送信する（ステップＳ３５）。
【００５１】
複合機５０は、携帯端末装置３０から送信されたジョブ一覧画面の画面情報を受け取り、操作表示部５２０の画面上に表示する（ステップＳ３６）。このジョブ一覧画面の画面情報は汎用的な文書形式で生成されているため、どのような複合機５０においても画面表示が可能である。さらに、複合機５０の画面上には、ユーザの所属先の複合機操作と同じユーザインターフェースでジョブ一覧画面の操作ができるように生成されたジョブ一覧が、複合機５０の画面内に収まるように表示される。このため、ユーザは、複合機５０に対しても、ユーザの所属先の複合機と同じように操作を行うことができる。
【００５２】
複合機５０は、ユーザの操作によって、画面に表示されたジョブ一覧の中から任意のジョブが選択されると（ステップＳ３７）、画面表示に必要であるジョブ詳細情報の取得を要求する信号を携帯端末装置３０に送信する（ステップＳ３８）。携帯端末装置３０は、サーバ１０に、ジョブ詳細情報の取得を要求する信号を送信する（ステップＳ３９）。
【００５３】
これによって、サーバ１０では、このジョブ詳細情報の取得要求を受け、画面情報生成部１３４が、ジョブ詳細情報用の画面情報を生成する（ステップＳ４０）。この場合、機密情報判定部１３５は、ジョブ詳細情報の中のＵＲＬやリンク情報などをもとに、所定の閾値と比較することによって、このジョブ詳細情報用の画面情報の機密度の大小を判定する。機密情報判定部１３５が外部に漏らしたくない機密度の大きい要素がジョブ詳細情報の中に含まれると判定した場合、画面情報生成部１３４は、この機密度の大きい要素については偽装情報を作成する。ジョブ詳細情報用の画面情報も、ジョブ一覧用の画面情報と同様に、ユーザの所属先の複合機操作と同じユーザインターフェースでジョブ一覧画面の操作ができるように、複合機５０の画面サイズも考慮しながら、携帯端末装置３０と複合機５０とが表示可能である汎用的な文書形式で生成される。サーバ１０は、画面情報生成部１３４が生成したジョブ詳細情報用の画面情報を携帯端末装置３０に送信する（ステップＳ４１）。画面情報生成部１３４は、偽装処理を行った画面要素がある場合には、オリジナルの情報と偽装した情報との双方を一対として送信する。
【００５４】
携帯端末装置３０では、サーバ１０から送られたジョブ詳細情報用の画面情報に、オリジナルの情報と偽装した情報とが対になっている画面要素が含まれる場合には、画面情報変換部３１５が、この画面要素については偽装された情報のみが含まれるようにジョブ詳細用の画面情報を変換し（ステップＳ４２）、変換したジョブ詳細用の画面情報を複合機５０に送信する（ステップＳ４３）。
【００５５】
複合機５０では、受信したジョブ詳細用の画面情報を操作表示部５２０の画面に表示する（ステップＳ４４）。このジョブ詳細用の画面情報の一部は、偽装された状態で複合機５０の表示画面上に表示される。続いて、複合機５０では、ユーザの操作によって、ジョブの印刷実行が選択されると（ステップＳ４５）、ユーザが選択した文書情報、文書の要求先情報や設定情報とともに印刷実行を携帯端末装置３０に通知する（ステップＳ４６）。
【００５６】
携帯端末装置３０では、複合機５０による文書リンク先などの文書情報の要求先が偽装情報であった場合には、偽装された文書情報の要求先の情報をオリジナルの情報に変換し（ステップＳ４７）、印刷実行に必要な文書情報の取得をサーバ１０に要求する信号を送信する（ステップＳ４８）。このように、携帯端末装置３０は、複合機５０による文書情報の要求先が偽装情報であった場合であっても、元の状態に変換されたオリジナルの要求先の情報をサーバ１０に示し、サーバ１０に文書の送受信を要求するため、複合機５０では、取り違えなく正しく目的の文書を印刷できる。サーバ１０は、携帯端末装置３０からの文書情報の要求を受け、印刷対象となる文書情報を取得し（ステップＳ４９）、要求元の携帯端末装置３０に取得した印刷対象の文書情報を送信する（ステップＳ５０）。
【００５７】
携帯端末装置３０は、サーバ１０からの文書送信が終了すると、複合機５０に、この文書情報の印刷の実行を要求する信号を送信する（ステップＳ５１）。印刷要求を受け取った複合機５０は、指定された文書に対する印刷処理を実行する（ステップＳ５２）。
【００５８】
このように、実施の形態にかかる画像形成システム１においては、複合機５０上でユーザ認証を行なうのではなく、サーバ１０に登録済みの携帯端末装置３０上でユーザ認証を行なうため、携帯端末装置内の認証データを複合機５０に入力することがない。また、画像形成システム１においては、複合機５０がネットワーク上のサーバ１０や携帯端末装置３０内の文書情報を直接参照することがなく、さらに、ジョブ実行対象となる文書や設定画面の項目などのレイアウト情報以外の情報をサーバ１０から複合機５０に送信することもない。さらに、画像形成システム１においては、機密度が高いと判定された情報については予めサーバ１０で偽装処理が行われてから画面情報が生成されるため、複合機５０に機密情報が送信されることもない。したがって、画像形成システム１においては、ユーザの所属先以外の場所に設置された複合機５０に、セキュリティ情報や機密情報が送信されることがないため、情報が漏洩することを確実に防止できる。
【００５９】
また、画像形成システム１においては、サーバ１０において、ユーザの所属先の複合機操作と同じユーザインターフェースでジョブ一覧画面の操作ができるように、複合機５０の画面サイズも考慮しながら携帯端末装置３０と複合機５０とが表示可能である汎用的な文書形式で画面情報を生成する。このため、画像形成システム１においては、ユーザの所属先以外の複合機５０であっても、ユーザの所属先の複合機と同一の画面および同一の操作でジョブ一覧の検索やジョブの実行が可能になるため、機器の違いによる画面操作の違いが解消され、ユーザの利便性が向上する。
【００６０】
なお、上記実施の形態では、本発明の画像形成システムを、コピー機能、プリンタ機能、スキャナ機能およびファクシミリ機能のうち少なくとも２つの機能を有する複合機に適用した例を挙げて説明したが、このようなシステムとして、複写機、プリンタ、スキャナ装置、ファクシミリ装置等の画像形成装置であればいずれにも適用することができる。
【００６１】
また、本実施の形態にかかる画像形成システム１のサーバ１０および携帯端末装置３０で実行される各処理に対する実行プログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよく、インターネット等のネットワークに接続されたコンピュータ上に格納し、ネットワーク経由でダウンロードさせることにより提供するように構成しても良い。また、インターネット等のネットワーク経由で提供または配布するように構成しても良い。
【符号の説明】
【００６２】
１  画像形成システム
１０  サーバ
２０，４０  ネットワーク
３０  携帯端末装置
５０  複合機
１００  バス
１１３  表示制御部
１１４  表示部
１１５  通信部
１１６，３１８  入力部
１２０  データベース
１２１  ユーザ一覧情報
１２２  機器一覧情報
１２３  文書情報
１２４  ジョブ情報
１３１，５７２  リモート通信部
１３２  アクセス機器判定部
１３３  ユーザ認証部
１３４  画面情報生成部
１３５  機密情報判定部
３１１  制御部
３１２  第１リモート通信部
３１３  第２リモート通信部
３１４  表示部
３１５  画面情報変換部
３１６  アクセス機器制御部
３１７  記憶部
５１０  コントローラ
５１５  ＡＧＰバス
５２０  操作表示部
５５０  ＩＥＥＥ１３９４インターフェース
５６０  エンジン部
５７１  ＵＩ制御部
５７３  アクセス認証制御部
５７６  印刷処理部
５７７  入力制御部
５７８  出力制御部
【先行技術文献】
【特許文献】
【００６３】
【特許文献１】特開２００９−０７０２４０号公報
【図１】
2014235617.tif 000003
【図２】
2014235617.tif 000004
【図３】
2014235617.tif 000005
【図４】
2014235617.tif 000006
【図５】
2014235617.tif 000007
【図６】
2014235617.tif 000008
【図７】
2014235617.tif 000009
【図８】
2014235617.tif 000010
【図９】
2014235617.tif 000011